(57)【特許請求の範囲】
【請求項１】
開口部を有する筐体と、
正回転された状態においては前記開口部から前記筐体内に空気を取り込み、逆回転された状態においては前記開口部から前記筐体内の空気を排出するファンと、
前記ファンによって前記筐体内に取り込まれる空気に含まれる粉塵を捕捉するためのフィルタと、
前記ファンによる前記筐体内の空気の排出方向に延びる回転軸を中心に前記フィルタを回転させるフィルタ回転機構と、
前記フィルタと前記ファンとの間に前記空気の流れる流路を形成する流路形成部材と、
空気を遮断する部材を前記流路内に挿入して保持し、前記流路の前記回転軸に垂直な方向の幅を部分的に狭めて前記流路を制限する制限状態と、前記部材を前記流路内から退避させて前記流路の制限を解除する制限解除状態と、を切り替えるための流路制限機構と、
前記ファンが正回転されている状態においては、前記流路制限機構を前記制限解除状態に制御し、前記ファンが逆回転されている状態においては、前記流路制限機構を前記制限状態に制御し且つ前記フィルタ回転機構により前記フィルタを回転させる制御部と、を備える投影装置。
【請求項２】
請求項１記載の投影装置であって、
前記流路の前記制限状態における前記幅の狭められた部分は、前記排出方向から見た状態において、前記回転軸に垂直な方向に延び且つ前記回転軸を通る直線と前記フィルタとの重なり部分に少なくとも重なっている投影装置。
【請求項３】
請求項１又は２記載の投影装置であって、
前記制御部は、前記ファンが正回転されている状態において更に前記フィルタを回転させる投影装置。
【請求項４】
請求項１から３のいずれか１項記載の投影装置であって、
前記開口部は、第一開口部と第二開口部を含み、
前記ファンは、画像を投影する投影モードにおいて正回転され、粉塵の除去を行うための清掃モードにおいて逆回転される吸気ファンであって、正回転されている状態においては前記第一開口部から前記筐体内に空気を取り込み、逆回転されている状態においては前記筐体内の空気を前記第一開口部から排出する吸気ファンと、前記投影モードにおいて逆回転され、前記清掃モードにおいて正回転される排気ファンであって、逆回転されている状態においては前記筐体内の空気を前記第二開口部から排出し、正回転されている状態においては前記第二開口部から前記筐体内に空気を取り込む排気ファンと、を含み、
前記フィルタは、前記吸気ファンによって前記第一開口部から前記筐体内に取り込まれる空気に含まれる粉塵を捕捉するための吸気フィルタと、前記排気ファンによって前記第二開口部から前記筐体内に取り込まれる空気に含まれる粉塵を捕捉するための排気フィルタと、を含み、
前記第一開口部に隣接して設けられた第一ユニットと、
前記第二開口部に隣接して設けられた第二ユニットと、を備え、
前記第一ユニットは、前記ファンを前記吸気ファンとし、前記フィルタを前記吸気フィルタとし、前記開口部を前記第一開口部とする、前記フィルタ回転機構、前記流路形成部材、及び前記流路制限機構を有し、
前記第二ユニットは、前記ファンを前記排気ファンとし、前記フィルタを前記排気フィルタとし、前記開口部を前記第二開口部とする、前記フィルタ回転機構、前記流路形成部材、及び前記流路制限機構を有する投影装置。
【請求項５】
開口部を有する筐体と、正回転された状態においては前記開口部から前記筐体内に空気を取り込み、逆回転された状態においては前記開口部から前記筐体内の空気を排出するファンと、前記ファンによって前記筐体内に取り込まれる空気に含まれる粉塵を捕捉するためのフィルタと、前記フィルタと前記ファンとの間に前記空気の流れる流路を形成する流路形成部材と、を有する投影装置の制御方法であって、
前記ファンが逆回転されている状態においては、前記ファンによる前記筐体内の空気の排出方向に延びる回転軸を中心に前記フィルタを回転させ、且つ、空気を遮断する部材を前記流路内に挿入して保持し、前記流路の前記回転軸に垂直な方向の幅を部分的に狭めて前記流路を制限し、前記ファンが正回転されている状態においては、前記部材を前記流路内から退避させて前記流路の制限を解除するステップを備える投影装置の制御方法。
【請求項６】
請求項５記載の投影装置の制御方法であって、
前記ステップでは、前記ファンが正回転されている状態において更に前記フィルタを回転させる投影装置の制御方法。
【発明の詳細な説明】
【技術分野】
【０００１】
本発明は、投影装置とその制御方法に関する。
【背景技術】
【０００２】
投影装置としてのプロジェクタは、光源、光源からの光を空間変調する光変調素子、及び電源回路等の温度上昇の大きい部材を有する。このため、これらの部材を空気によって冷却するためのファンを搭載するのが一般的である。【０００３】
特許文献１には、外装を構成する筐体と、筐体に設置される開口部と、開口部を介して、正回転動作により外気を筐体内部に吸入し、逆回転動作により筐体内部の空気を筐体外部へ排気するファンと、開口部とファンとの間に配置され、塵埃の筐体内部への侵入を防ぐフィルタと、を備えるプロジェクタが記載されている。このプロジェクタは、ファンの逆回転動作により、フィルタに付着した塵埃の除去を行うモードを搭載している。【０００４】
特許文献２には、液晶パネルと冷却用のファンとの間に配置されたルーバーの一部を開口させることで、ファンによる吸気風量を増加させて、液晶パネルの隙間に入った塵を除去させるプロジェクタが記載されている。【０００５】
特許文献３には、冷却用のファンとヒートシンクとの間に板状の回動部材を設置し、回動部材によって、ファンとヒートシンクの間の流路を狭めることで、ヒートシンク側に二次渦を発生させて、ヒートシンクの塵を除去する電子機器が記載されている。
【先行技術文献】
【特許文献】
【０００６】
【特許文献１】日本国特開２００８−０６０１０８号公報
【特許文献２】日本国特開２００２−３５０８０６号公報
【特許文献３】日本国特開２０１０−１６１１９６号公報
【発明の概要】
【発明が解決しようとする課題】
【０００７】
吸気用ファンに対向して設けられる集塵用のフィルタは、吸気用ファンを正回転させているときには、プロジェクタの筐体外部の粉塵が筐体内部に侵入するのを防ぐ役割を果たす。一方、特許文献１に記載されているように、この吸気用ファンを逆回転させた場合には、この逆回転による風圧によって、このフィルタに付着している粉塵の除去が可能となる。しかし、フィルタに対して粉塵が強固に密着していると、この風圧による粉塵の除去が不十分となる。【０００８】
そこで、特許文献２、３に記載されている技術を応用し、フィルタに到達させる空気の流路を部分的に狭める構成とすれば、フィルタに吹きつけられる空気の流速を高めることが可能である。しかし、特許文献３に記載されている技術では、フィルタの表面全体に空気を吹き付けることは難しい。また、特許文献２に記載されているように、ルーバーの開口位置を移動させる構成を採用すると、流路を移動させるための機構の制御が複雑になりコストが上昇する。また、空気の流れが一定ではなくなるため、乱流等の影響によって流速が低下する可能性がある。【０００９】
本発明は、上記事情に鑑みてなされたものであり、筐体内部に粉塵が侵入するのを防ぐためのフィルタに捕捉された粉塵を簡易な構造にて除去することのできる投影装置とその制御方法を提供することを目的とする。
【課題を解決するための手段】
【００１０】
本発明の投影装置は、開口部を有する筐体と、正回転された状態においては上記開口部から上記筐体内に空気を取り込み、逆回転された状態においては上記開口部から上記筐体内の空気を排出するファンと、上記ファンによって上記筐体内に取り込まれる空気に含まれる粉塵を捕捉するためのフィルタと、上記ファンによる上記筐体内の空気の排出方向に延びる回転軸を中心に上記フィルタを回転させるフィルタ回転機構と、上記フィルタと上記ファンとの間に上記空気の流れる流路を形成する流路形成部材と、空気を遮断する部材を上記流路内に挿入して保持し、上記流路の上記回転軸に垂直な方向の幅を部分的に狭めて上記流路を制限する制限状態と、上記部材を上記流路内から退避させて上記流路の制限を解除する制限解除状態と、を切り替えるための流路制限機構と、上記ファンが正回転されている状態においては、上記流路制限機構を上記制限解除状態に制御し、上記ファンが逆回転されている状態においては、上記流路制限機構を上記制限状態に制御し且つ上記フィルタ回転機構により上記フィルタを回転させる制御部と、を備えるものである。【００１１】
本発明の投影装置の制御方法は、開口部を有する筐体と、正回転された状態においては上記開口部から上記筐体内に空気を取り込み、逆回転された状態においては上記開口部から上記筐体内の空気を排出するファンと、上記ファンによって上記筐体内に取り込まれる空気に含まれる粉塵を捕捉するためのフィルタと、上記フィルタと上記ファンとの間に上記空気の流れる流路を形成する流路形成部材と、を有する投影装置の制御方法であって、上記ファンが逆回転されている状態においては、上記ファンによる上記筐体内の空気の排出方向に延びる回転軸を中心に上記フィルタを回転させ、且つ、空気を遮断する部材を上記流路内に挿入して保持し、上記流路の上記回転軸に垂直な方向の幅を部分的に狭めて上記流路を制限し、上記ファンが正回転されている状態においては、上記部材を上記流路内から退避させて上記流路の制限を解除するステップを備えるものである。
【発明の効果】
【００１２】
本発明によれば、筐体内部に粉塵が侵入するのを防ぐためのフィルタに捕捉された粉塵を簡易な構造にて除去することのできる投影装置とその制御方法を提供することができる。
【図面の簡単な説明】
【００１３】
【図１】本発明の投影装置の一実施形態であるプロジェクタ１００の概略構成を示す模式図である。
【図２】図１に示した吸気ファン７が正回転している状態における図１の範囲Ａの断面模式図である。
【図３】図１に示した吸気ファン７が逆回転している状態における図１の範囲Ａの断面模式図である。
【図４】図３に示した状態の第一ユニット７０を方向Ｘ２に見た模式図である。
【図５】流路制限機構によって制限される流路の変形例を示す図４に対応する模式図である。
【図６】流路制限機構によって制限される流路の変形例を示す図３に対応する模式図である。
【図７】図６に示した状態の第一ユニット７０を方向Ｘ２に見た模式図である。
【図８】図１に示すプロジェクタ１００の変形例であるプロジェクタ１００Ａの概略構成を示す模式図である。
【図９】図８に示した排気ファン８Ａが逆回転している状態における図８の範囲Ｃの断面模式図である。
【図１０】図８に示した排気ファン８Ａが正回転している状態における図８の範囲Ｃの断面模式図である。
【発明を実施するための形態】
【００１４】
以下、本発明の実施形態について図面を参照して説明する。
【００１５】
図１は、本発明の投影装置の一実施形態であるプロジェクタ１００の概略構成を示す模式図である。プロジェクタ１００は、金属又は樹脂等からなる筐体１０と、筐体１０の内部に設けられた、光源ユニット２、光変調素子３、投影光学系４、制御部５、吸気ファン７、吸気ファン７に隣接して設けられた第一ユニット７０、及び排気ファン８を備える。
【００１６】
光源ユニット２は、白色光を出射する光源２１と、カラーホイール２２と、照明光学系２３と、を備える。光源２１は、レーザ又はＬＥＤ（Ｌｉｇｈｔ  Ｅｍｉｔｔｉｎｇ  Ｄｉｏｄｅ）等の発光素子を含んで構成される。カラーホイール２２は、光源２１と照明光学系２３の間に配置されている。カラーホイール２２は、円板状の部材であり、その周方向に沿って、赤色光を透過するＲフィルタ、緑色光を透過するＧフィルタ、及び青色光を透過するＢフィルタが設けられている。カラーホイール２２は軸周りに回転され、光源２１から出射される白色光を時分割にて赤色光、緑色光、及び青色光に分光して照明光学系２３に導く。照明光学系２３から出射された光は光変調素子３に入射される。
【００１７】
光変調素子３は、照明光学系２３から出射された光を画像データに基づいて空間変調し、空間変調した光を投影光学系４に出射する。
【００１８】
図１に示すプロジェクタ１００は、光変調素子３としてＤＭＤ（Ｄｉｇｉｔａｌ  Ｍｉｃｒｏｍｉｒｒｏｒ  Ｄｅｖｉｃｅ）を用いた例であるが、光変調素子３としては、例えば、ＬＣＯＳ（Ｌｉｑｕｉｄ  ｃｒｙｓｔａｌ  ｏｎ  ｓｉｌｉｃｏｎ）、ＭＥＭＳ（Ｍｉｃｒｏ  Ｅｌｅｃｔｒｏ  Ｍｅｃｈａｎｉｃａｌ  Ｓｙｓｔｅｍｓ）素子、又は液晶表示素子等を用いることも可能である。
【００１９】
投影光学系４は、光変調素子３からの光が入射されるものであり、少なくとも１つのレンズを含む。投影光学系４を通過した光は筐体１０に設けられた開口を通って図示省略のスクリーンに投射される。
【００２０】
吸気ファン７は、筐体１０に形成された開口部によって構成される吸気口１０Ａに対向する位置に設けられている。吸気ファン７は、その回転方向を正逆切替可能となっている。吸気ファン７は、一方向に回転（正回転）されている状態においては、吸気口１０Ａから、後述する第一ユニット７０を介して、筐体１０内に空気を取り込み、この一方向の反対方向に回転（逆回転）されている状態においては、筐体１０内の空気を、第一ユニット７０を介して、吸気口１０Ａから排出する。
【００２１】
吸気ファン７が正回転することによって筐体１０内に取り込まれた空気は、例えば光源２１、光変調素子３、又は図示省略の電源回路等の被冷却部材に吹き当てられて、これらを冷却する。吸気ファン７は制御部５によって制御される。プロジェクタ１００において、吸気口１０Ａは開口部を構成し、吸気ファン７はファンを構成する。
【００２２】
第一ユニット７０は、吸気ファン７と吸気口１０Ａとの間に設けられており、吸気ファン７によって筐体１０内に取り込まれる空気に含まれる粉塵を捕捉し、その粉塵を除去するために設けられている。
【００２３】
排気ファン８は、筐体１０に形成された開口部によって構成される排気口１０Ｂに対向する位置に設けられており、筐体１０内の空気を排気口１０Ｂから排出する。排気ファン８は制御部５によって制御される。排気口１０Ｂには、図示省略のフィルタが嵌合されており、このフィルタによって、排気口１０Ｂから筐体１０内への粉塵の侵入が防止されている。
【００２４】
制御部５は、光源ユニット２の制御、光変調素子３の制御、吸気ファン７の制御、第一ユニット７０の制御、及び排気ファン８の制御等を行うものであり、プロセッサと、ＲＯＭ（Ｒｅａｄ  Ｏｎｌｙ  Ｍｅｍｏｒｙ）と、ＲＡＭ（Ｒａｎｄｏｍ  Ａｃｃｓｅｓｓ  Ｍｅｍｏｒｙ）と、を備える。
【００２５】
プロセッサとしては、プログラムを実行して各種処理を行う汎用的なプロセッサであるＣＰＵ（Ｃｅｎｔｒａｌ  Ｐｒｏｓｅｓｓｉｎｇ  Ｕｎｉｔ）、ＦＰＧＡ（Ｆｉｅｌｄ  Ｐｒｏｇｒａｍｍａｂｌｅ  Ｇａｔｅ  Ａｒｒａｙ）等の製造後に回路構成を変更可能なプロセッサであるプログラマブルロジックデバイス（Ｐｒｏｇｒａｍｍａｂｌｅ  Ｌｏｇｉｃ  Ｄｅｖｉｃｅ：ＰＬＤ）、又はＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等の特定の処理を実行させるために専用に設計された回路構成を有するプロセッサである専用電気回路等が含まれる。
【００２６】
これらプロセッサの構造は、より具体的には、半導体素子等の回路素子を組み合わせた電気回路である。
【００２７】
制御部５のプロセッサは、上述した各種のプロセッサのうちの１つで構成されてもよいし、同種又は異種の２つ以上のプロセッサの組み合わせ（例えば、複数のＦＰＧＡの組み合わせ又はＣＰＵとＦＰＧＡの組み合わせ）で構成されてもよい。
【００２８】
図２は、図１に示した吸気ファン７が正回転している状態における図１の範囲Ａの断面模式図である。図３は、図１に示した吸気ファン７が逆回転している状態における図１の範囲Ａの断面模式図である。図４は、図３に示した状態の第一ユニット７０を方向Ｘ２に見た模式図である。
【００２９】
図２及び図３に示された方向Ｘ２は、吸気ファン７が正回転している状態における筐体１０内への空気Ｗ１の吸引方向である。図２及び図３に示された方向Ｘ１は、吸気ファン７が逆回転している状態における筐体１０内の空気Ｗ２の排出方向であり、方向Ｘ２の反対方向となっている。以下では、方向Ｘ１と方向Ｘ２を総称して方向Ｘとも言い、方向Ｘに直交する方向を方向Ｙという。
【００３０】
図２及び図３に示すように、第一ユニット７０は、筒状のケース７１と、ケース７１の内周部に設けられたフィルタ７２、フィルタ枠７３、回転軸７４、モータ７５、及び流路制限機構７６と、を備える。
【００３１】
ケース７１は、吸気口１０Ａ側の端部に、吸気口１０Ａに対向する開口７１ａを有し、吸気ファン７側の端部に、吸気ファン７に対向する開口７１ｂを有している。本実施形態の例では、ケース７１は、図４に示すように、外径が矩形且つ内周部が四角柱状の筒状部材である。
【００３２】
フィルタ枠７３は、ケース７１の内周部の開口７１ａ側の端部に嵌合された平板状の部材であり、その中央には、フィルタ７２を設けるための円柱状の開口部が形成されている。
【００３３】
フィルタ７２は、吸気ファン７が正回転されている状態において吸気口１０Ａから取り込まれる空気Ｗ１に含まれる粉塵を捕捉するためのものであり、円板状且つメッシュ状のものである。フィルタ７２は、フィルタ枠７３の上記の開口部の内部に位置し、フィルタ枠７３の内周面に対して摺動可能な状態にてフィルタ枠７３に支持されている。
【００３４】
回転軸７４は、フィルタ７２の中心に固定された方向Ｘに延びる棒状部材である。モータ７５は、回転軸７４を駆動するアクチュエータである。モータ７５は制御部５によって制御される。制御部５は、モータ７５によって回転軸７４を回転させることで、回転軸７４を中心にフィルタ７２を回転させる。回転軸７４とモータ７５はフィルタ回転機構を構成する。
【００３５】
流路制限機構７６は、方向Ｘ及び方向Ｙと垂直な方向に延びる回転軸７６ｂと、回転軸７６ｂを中心に回動自在に回転軸７６ｂに支持された、空気を遮断する部材により構成された板状の可動部材７６ａと、回転軸７６ｂを駆動する図示省略のモータ等の駆動部と、を備える。この駆動部は、制御部５によって制御される。
【００３６】
回転軸７６ｂは、ケース７１の内周部の方向Ｙの一方の端面に設けられている。可動部材７６ａは、図２に示すように、ケース７１の内周部の方向Ｙの一方の端面に接触する位置と、図３に示すように、ケース７１の内周部の方向Ｙの一方の端面から離間してこの内周部の方向Ｙの他方の端面に近づく位置との間にて移動する。
【００３７】
図２に示す状態において、ケース７１の内周部におけるフィルタ７２よりも吸気ファン７側の部分のうち、可動部材７６ａ及び回転軸７６ｂを除く部分は、空気の流れる流路７８を構成している。ケース７１はこの流路７８を形成する流路形成部材を構成している。
【００３８】
流路制限機構７６は、制限状態と制限解除状態とを切り替えるための機構である。制限状態とは、図３に示したように、可動部材７６ａを流路７８内に挿入して保持し、流路７８の方向Ｙの幅を部分的に狭める状態である。制限解除状態とは、図２に示したように、可動部材７６ａを流路７８から退避させて、流路７８の方向Ｙの幅を部分的に狭めた状態（流路７８の制限）を解除する状態である。
【００３９】
図４に示すように、流路制限機構７６が制限状態に制御されている場合には、方向Ｘからみたときの流路７８の可動部材７６ａによって幅が最も狭められている部分７８Ａと、フィルタ７２の中心を通り且つ方向Ｙに垂直な方向に延びる直線Ｌとフィルタ７２との重なり部位と、が重なる状態となっている。具体的には、図４の例では、可動部材７６ａによって流路７８の幅が約半分に制限されており、この制限された部分７８Ａがフィルタ７２の半分と重なる状態となっている。
【００４０】
以上のように構成されプロジェクタ１００には、スクリーンへの画像の投影を行う投影モードに加えて、第一ユニット７０のフィルタ７２に捕捉された粉塵を除去するための清掃モードが設けられている。この清掃モードは、例えば、プロジェクタ１００の電源をオフにする操作がなされた場合等に自動的に開始されたり、手動にて開始させたりすることができる。
【００４１】
制御部５は、投影モードにおいては、図２に示すように、吸気ファン７を正回転させ、流路制限機構７６を制限解除状態に制御し、且つ、フィルタ７２を非回転の状態に制御する。
【００４２】
これらの制御により、吸気ファン７が正回転されている状態においては、吸気口１０Ａから取り込まれた空気Ｗ１は、フィルタ７２を通過し、略一定幅の流路７８を通過して、筐体１０の内部へと流入する。投影モードにおいては、空気Ｗ１に含まれる粉塵は、フィルタ７２によって捕捉されるため、筐体１０内部への侵入は防止される。
【００４３】
制御部５は、清掃モードにおいては、図３に示すように、吸気ファン７を逆回転させ、流路制限機構７６を制限状態に制御し、且つ、フィルタ７２を回転させる。
【００４４】
これらの制御により、吸気ファン７が逆回転されている状態においては、筐体１０内部の空気Ｗ２は、流路７８のうちの可動部材７６ａによって幅の狭められた部分において流速が増加されてから、フィルタ７２に吹き当てられる。
【００４５】
図４に示すように、フィルタ７２の表面における空気Ｗ２が吹き当てられる部分は、フィルタ７２の略下半分の領域に制限される。しかし、この状態においては、フィルタ７２が回転されるため、この回転動作によって、フィルタ７２の表面全体に、流速が増加された空気Ｗ２が吹き当てられることになる。この空気Ｗ２により、投影モードにおいてフィルタ７２の吸気口１０Ａ側の面に捕捉されていた粉塵は、方向Ｘ１へと吹き飛ばされて除去される。
【００４６】
制御部５は、清掃モードを開始してから予め決められた時間が経過すると、吸気ファン７を停止させ、流路制限機構７６を制限解除状態に制御し、フィルタ７２を非回転の状態に制御して、清掃モードを終了する。
【００４７】
以上のようにプロジェクタ１００によれば、清掃モードにおいては、筐体１０内部の空気Ｗ２の流速が増加された状態にて、回転するフィルタ７２に吹き当てられる。これにより、投影モード時にフィルタ７２に捕捉されていた粉塵を高速の空気Ｗ２によって効果的に除去することができ、フィルタ７２の目詰まりを防ぐことができる。また、第一ユニット７０の構成によれば、簡易な構成によってフィルタ７２の表面全体に高速の空気Ｗ２を吹き当てることができるため、プロジェクタ１００の製造コストを低減することができる。また、第一ユニット７０の構成によれば、空気Ｗ２の流路は一定となるため、空気Ｗ２の流れを安定化させることができる。
【００４８】
なお、制限状態において可動部材７６ａが流路７８の幅を制限するときの、この制限された部分７８Ａの方向Ｙの幅は図４に示したものには限定されない。例えば、図５に示すように、部分７８Ａの方向Ｙの幅が図４よりも小さい構成であってもよい。
【００４９】
図５に示す構成では、流路７８の制限された部分７８Ａと、直線Ｌとフィルタ７２との重なり部分と、が重なっていない。このため、フィルタ７２が回転していても、フィルタ７２の表面全体に、高速の空気Ｗ２が吹き当てられにくくなる。具体的には、フィルタ７２における回転軸７４の近傍には強い風があたりにくい状態になる。しかし、この構成であっても、フィルタ７２の表面の大部分に強い風を吹き当てることができる。このため、フィルタ７２に付着した粉塵を除去する効果を得ることは可能である。
【００５０】
図２及び図３の例では、１つの可動部材７６ａによって流路７８の制限とその解除を行うものとしたが、図６に示すように、ケース７１の内周部に流路制限機構７６を２つ設け、２つの可動部材７６ａによって流路７８を狭める構成を採用することも可能である。
【００５１】
図７は、図６に示す変形例の第一ユニット７０を方向Ｘ２に見た状態を示す図である。図７に示すように、流路制限機構７６を２つ設ける場合であっても、流路７８のうちの２つの可動部材７６ａによって幅が最も狭められた部分７８Ａと、フィルタ７２における直線Ｌと重なる部分と、が重なる構成とする。この構成とすることで、フィルタ７２の回転によって、この部分７８Ａとフィルタ７２の表面全体とが重なる状態を得ることができ、フィルタ７２の表面全体に高速の空気を吹き当てることができる。
【００５２】
プロジェクタ１００の制御部５は、投影モード時において、第一ユニット７０のフィルタ７２を連続的又は間欠的に回転させる制御を行ってもよい。このように、投影モード時においてもフィルタ７２が回転することで、吸気口１０Ａから取り込まれる空気Ｗ１をフィルタ７２の表面全体に均一に吹き当てることができる。これにより、フィルタ７２の目詰まりのムラを防ぐことができる。
【００５３】
図８は、図１に示すプロジェクタ１００の変形例であるプロジェクタ１００Ａの概略構成を示す模式図である。プロジェクタ１００Ａは、排気ファン８が排気ファン８Ａに変更された点と、第一ユニット７０と同じ構造の第二ユニット８０が排気口１０Ｂと排気ファン８Ａの間に設けられた点と、を除いては、プロジェクタ１００と同じ構成である。
【００５４】
排気ファン８Ａは、排気口１０Ｂに対向する位置に設けられている。排気ファン８Ａは、その回転方向を正逆切替可能となっている。排気ファン８Ａは、一方向に回転（正回転）されている状態においては、第二ユニット８０を介して、排気口１０Ｂから筐体１０内に空気を取り込み、この一方向の逆方向に回転（逆回転）されている状態においては、筐体１０内の空気を、第二ユニット８０を介して、排気口１０Ｂから排出する。
【００５５】
プロジェクタ１００Ａにおいて、吸気口１０Ａは第一開口部を構成し、排気口１０Ｂは第二開口部を構成する。プロジェクタ１００Ａにおいて、第一ユニット７０のフィルタ７２は吸気フィルタを構成し、第二ユニット８０のフィルタ７２は排気フィルタを構成する。第二ユニット８０のフィルタ７２は、排気口１０Ｂから取り込まれる空気に含まれる粉塵を捕捉するために設けられる。
【００５６】
プロジェクタ１００Ａの制御部５は、投影モードにおいては排気ファン８Ａを逆回転させ、清掃モードにおいては排気ファン８Ａを正回転させる。
【００５７】
図９は、図８に示した排気ファン８Ａが逆回転している状態における図８の範囲Ｃの断面模式図である。図１０は、図８に示した排気ファン８Ａが正回転している状態における図８の範囲Ｃの断面模式図である。
【００５８】
図９は、吸気口１０Ａが排気口１０Ｂに変更され、吸気ファン７が排気ファン８Ａに変更され、第一ユニット７０がこれと同じ構造の第二ユニット８０に変更され、空気Ｗ２が空気Ｗ１に変更された点を除いては図３と同じである。
【００５９】
図１０は、吸気口１０Ａが排気口１０Ｂに変更され、吸気ファン７が排気ファン８Ａに変更され、第一ユニット７０がこれと同じ構造の第二ユニット８０に変更され、空気Ｗ１が空気Ｗ２に変更された点を除いては図３と同じである。
【００６０】
プロジェクタ１００Ａの制御部５は、投影モードにおいては、図９に示すように、排気ファン８Ａを逆回転させ、第二ユニット８０の流路制限機構７６を制限状態に制御し、且つ、第二ユニット８０のフィルタ７２を回転させる。プロジェクタ１００Ａの制御部５は、清掃モードにおいては、図１０に示すように、排気ファン８Ａを正回転させ、第二ユニット８０の流路制限機構７６を制限解除状態に制御し、且つ、第二ユニット８０のフィルタ７２を非回転の状態に制御する。
【００６１】
以上の構成のプロジェクタ１００Ａは、投影モードにおいては、吸気ファン７が正回転し、第一ユニット７０を介して筐体１０内に空気Ｗ１を取り入れ、この空気Ｗ１によって被冷却部材を冷却する。また、投影モードにおいては、排気ファン８Ａが逆回転し、吸気ファン７の正回転によって筐体１０に取り入れられた空気Ｗ１は、図９に示すように、第二ユニット８０の可動部材７６ａによって幅が狭められた流路７８を通過して、第二ユニット８０のフィルタ７２に吹き当てられ、排気口１０Ｂから排出される。
【００６２】
また、プロジェクタ１００Ａは、清掃モードにおいては、排気ファン８Ａが正回転し、図１０に示すように、第二ユニット８０の流路７８を介して、排気口１０Ｂから筐体１０内に空気Ｗ２を取り入れる。また、清掃モードにおいては、吸気ファン７が逆回転し、排気ファン８Ａの正回転によって筐体１０に取り入れられた空気Ｗ２は、図３に示すように、第一ユニット７０の可動部材７６ａによって幅が狭められた流路７８を通過して、第一ユニット７０のフィルタ７２に吹き当てられ、吸気口１０Ａから排出される。
【００６３】
このように、排気口１０Ｂと排気ファン８Ａの間に第二ユニット８０を設けることで、吸気ファン７を正回転させている状態（排気ファン８Ａを逆回転させている状態）においては、筐体１０内に取り込まれた空気Ｗ１の排出をスムーズに行うことができると共に、第二ユニット８０のフィルタ７２に付着した粉塵を外部に吹き飛ばして除去することができる。
【００６４】
また、吸気ファン７を逆回転させている状態（排気ファン８Ａを正回転させている状態）においては、排気口１０Ｂから取り込まれる空気Ｗ２が必ず第二ユニット８０のフィルタ７２を通過する。このため、排気口１０Ｂから筐体１０内への粉塵の侵入を防ぐことができる。
【００６５】
また、排気ファン８Ａを正回転させている状態においては、図１０に示すように、第二ユニット８０の流路７８の幅が最大化される。このため、第一ユニット７０のフィルタ７２の清掃に必要な空気量を筐体１０内部に充分に取り込むことができる。
【００６６】
プロジェクタ１００Ａの制御部５は、投影モード時において、第一ユニット７０のフィルタ７２を連続的又は間欠的に回転させ、清掃モード時において、第二ユニット８０のフィルタ７２を連続的又は間欠的に回転させる制御を行ってもよい。
【００６７】
投影モード時に第一ユニット７０のフィルタ７２が回転することで、吸気口１０Ａから取り込まれる空気Ｗ１を、第一ユニット７０のフィルタ７２の表面全体に均一に吹き当てることができる。これにより、第一ユニット７０のフィルタ７２の目詰まりのムラを防ぐことができる。
【００６８】
また、清掃モード時に第二ユニット８０のフィルタ７２が回転することで、排気口１０Ｂから取り込まれる空気Ｗ２を、第二ユニット８０のフィルタ７２の表面全体に均一に吹き当てることができる。これにより、第二ユニット８０のフィルタ７２の目詰まりのムラを防ぐことができる。
【００６９】
ここまで説明してきた第一ユニット７０と第二ユニット８０の各々における流路制限機構７６の構成は一例であり、各種の変形が可能である。例えば、ケース７１の方向Ｙの一方の面に固定された蛇腹状の部材を伸縮させることで、流路７８を制限する状態とその制限を解除する状態とを切り替える構成であってもよい。また、フィルタ７２とファンとの間に絞り機構を設け、この絞り機構によって流路を制限する状態とその制限を解除する状態とを切り替えてもよい。
【００７０】
以上説明してきたように、本明細書には以下の事項が開示されている。
【００７１】
（１）
開口部を有する筐体と、
正回転された状態においては上記開口部から上記筐体内に空気を取り込み、逆回転された状態においては上記開口部から上記筐体内の空気を排出するファンと、
上記ファンによって上記筐体内に取り込まれる空気に含まれる粉塵を捕捉するためのフィルタと、
上記ファンによる上記筐体内の空気の排出方向に延びる回転軸を中心に上記フィルタを回転させるフィルタ回転機構と、
上記フィルタと上記ファンとの間に上記空気の流れる流路を形成する流路形成部材と、
空気を遮断する部材を上記流路内に挿入して保持し、上記流路の上記回転軸に垂直な方向の幅を部分的に狭めて上記流路を制限する制限状態と、上記部材を上記流路内から退避させて上記流路の制限を解除する制限解除状態と、を切り替えるための流路制限機構と、
上記ファンが正回転されている状態においては、上記流路制限機構を上記制限解除状態に制御し、上記ファンが逆回転されている状態においては、上記流路制限機構を上記制限状態に制御し且つ上記フィルタ回転機構により上記フィルタを回転させる制御部と、を備える投影装置。
【００７２】
（２）
（１）記載の投影装置であって、
上記流路の上記制限状態における上記幅の狭められた部分は、上記排出方向から見た状態において、上記回転軸に垂直な方向に延び且つ上記回転軸を通る直線と上記フィルタとの重なり部分に少なくとも重なっている投影装置。
【００７３】
（３）
（１）又は（２）記載の投影装置であって、
上記制御部は、上記ファンが正回転されている状態において更に上記フィルタを回転させる投影装置。
【００７４】
（４）
（１）から（３）のいずれか１つに記載の投影装置であって、
上記開口部は、第一開口部と第二開口部を含み、
上記ファンは、画像を投影する投影モードにおいて正回転され、粉塵の除去を行うための清掃モードにおいて逆回転される吸気ファンであって、正回転されている状態においては上記第一開口部から上記筐体内に空気を取り込み、逆回転されている状態においては上記筐体内の空気を上記第一開口部から排出する吸気ファンと、上記投影モードにおいて逆回転され、上記清掃モードにおいて正回転される排気ファンであって、逆回転されている状態においては上記筐体内の空気を上記第二開口部から排出し、正回転されている状態においては上記第二開口部から上記筐体内に空気を取り込む排気ファンと、を含み、
上記フィルタは、上記吸気ファンによって上記第一開口部から上記筐体内に取り込まれる空気に含まれる粉塵を捕捉するための吸気フィルタと、上記排気ファンによって上記第二開口部から上記筐体内に取り込まれる空気に含まれる粉塵を捕捉するための排気フィルタと、を含み、
上記第一開口部に隣接して設けられた第一ユニットと、
上記第二開口部に隣接して設けられた第二ユニットと、を備え、
上記第一ユニットは、上記ファンを上記吸気ファンとし、上記フィルタを上記吸気フィルタとし、上記開口部を上記第一開口部とする、上記フィルタ回転機構、上記流路形成部材、及び上記流路制限機構を有し、
上記第二ユニットは、上記ファンを上記排気ファンとし、上記フィルタを上記排気フィルタとし、上記開口部を上記第二開口部とする、上記フィルタ回転機構、上記流路形成部材、及び上記流路制限機構を有する投影装置。
【００７５】
（５）
開口部を有する筐体と、正回転された状態においては上記開口部から上記筐体内に空気を取り込み、逆回転された状態においては上記開口部から上記筐体内の空気を排出するファンと、上記ファンによって上記筐体内に取り込まれる空気に含まれる粉塵を捕捉するためのフィルタと、上記フィルタと上記ファンとの間に上記空気の流れる流路を形成する流路形成部材と、を有する投影装置の制御方法であって、
上記ファンが逆回転されている状態においては、上記ファンによる上記筐体内の空気の排出方向に延びる回転軸を中心に上記フィルタを回転させ、且つ、空気を遮断する部材を上記流路内に挿入して保持し、上記流路の上記回転軸に垂直な方向の幅を部分的に狭めて上記流路を制限し、上記ファンが正回転されている状態においては、上記部材を上記流路内から退避させて上記流路の制限を解除するステップを備える投影装置の制御方法。
【００７６】
（６）
（５）記載の投影装置の制御方法であって、
上記ステップでは、上記ファンが正回転されている状態において更に上記フィルタを回転させる投影装置の制御方法。
【００７７】
以上、図面を参照しながら各種の実施の形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。また、発明の趣旨を逸脱しない範囲において、上記実施の形態における各構成要素を任意に組み合わせてもよい。
【００７８】
なお、本出願は、２０１８年９月１９日出願の日本特許出願（特願２０１８−１７５１３０）に基づくものであり、その内容は本出願の中に参照として援用される。
【産業上の利用可能性】
【００７９】
本発明は、液晶プロジェクタ等に適用して利便性が高く、有効である。
【符号の説明】
【００８０】
１００、１００Ａ  プロジェクタ
２  光源ユニット
２１  光源
２２  カラーホイール
２３  照明光学系
３  光変調素子
４  投影光学系
５  制御部
７  吸気ファン
７０  第一ユニット
７１  ケース
７１ａ、７１ｂ  開口
７２  フィルタ
７３  フィルタ枠
７４  回転軸
７５  モータ
７６  流路制限機構
７６ａ  可動部材
７６ｂ  回転軸
７８  流路
７８Ａ  流路の制限された部分
Ｗ１、Ｗ２  空気
８、８Ａ  排気ファン
８０  第二ユニット
１０  筐体
１０Ａ  吸気口
１０Ｂ  排気口
Ａ、Ｃ  範囲
【図１】
0006872084.tif 000002
【図２】
0006872084.tif 000003
【図３】
0006872084.tif 000004
【図４】
0006872084.tif 000005
【図５】
0006872084.tif 000006
【図６】
0006872084.tif 000007
【図７】
0006872084.tif 000008
【図８】
0006872084.tif 000009
【図９】
0006872084.tif 000010
【図１０】
0006872084.tif 000011